(57)【要約】      （修正有）【課題】スプールの回転をスムーズにする魚釣用リールを提供する。【解決手段】スプール制動機構１６０が、磁界を発生する磁石アセンブリ１７０と、磁石アセンブリに対向して位置する導電性の制動部材１８０とを有し、磁界と制動部材の運動との相互作用によってスプール１１０の回転を制動するものであり、制動部材が、スプールと共に回転および制動される導電性板体である第１の構成、または、スプールの少なくともスプール制動機構の側に位置するフランジが導電性であり、当該導電性のフランジが制動部材として機能する第２の構成、の何れかの構成を有し、磁石アセンブリが、３以上の複数の磁石１７２と、複数の磁石の其々が制動部材に対向するよう各磁石を支持する磁石支持体と、を有し、複数の磁石が、磁石支持体の磁石保持面において、均等な距離を隔てて配置されている。【選択図】図５
0003230815.tif 000002
【実用新案登録請求の範囲】
【請求項１】
釣り糸が巻き付けられるスプールと、
前記スプールの回転軸の一端を支持し、前記スプールに回転駆動力を与えると共に空回りを可能にするスプール駆動・クラッチ機構と、
前記スプールの前記回転軸の他端を支持し、前記スプールの回転を制動するスプール制動機構と、を有する魚釣用リールであって、
前記スプール制動機構が、磁界を発生する磁石アセンブリと、前記磁石アセンブリに対向して位置する導電性の制動部材とを有し、前記磁界と前記制動部材の運動との相互作用によって前記スプールの回転を制動するものであり、
前記制動部材が、前記スプールと共に回転および制動される導電性板体である第１の構成、または、前記スプールの少なくとも前記スプール制動機構の側に位置するフランジが導電性であり、当該導電性のフランジが前記制動部材として機能する第２の構成、の何れかの構成を有し、
前記磁石アセンブリが、３以上の複数の磁石と、前記複数の磁石の其々が前記制動部材に対向するよう各磁石を支持する磁石支持体と、を有し、
前記複数の磁石が、前記磁石支持体の磁石保持面において、均等な距離を隔てて配置されている魚釣用リール。
【請求項２】
前記複数の磁石が、前記磁石保持面において、前記スプールの回転軸を中心とする単一または複数の円環に沿って配置されている
請求項１に記載の魚釣用リール。
【請求項３】
前記複数の磁石が、前記磁石保持面において、前記回転軸を中心とする点対称な位置に配置されている
請求項２に記載の魚釣用リール。
【請求項４】
前記複数の磁石が、前記制動部材に面する側がＮ極である第１磁石とＳ極である第２磁石とを有し、前記磁石保持面において、前記第１磁石と前記第２磁石とが互いに隣接するよう配置されている
請求項１から請求項３の何れか一項に記載の魚釣用リール。
【請求項５】
前記複数の磁石のうち１以上の磁石の残留磁束密度が、１．３２テスラを超える
請求項１から請求項４の何れか一項に記載の魚釣用リール。
【請求項６】
前記複数の磁石に含まれる全ての磁石の残留磁束密度が、１．３６テスラ以上である
請求項５に記載の魚釣用リール。
【請求項７】
前記スプール制動機構が、前記制動部材と前記複数の磁石との間隔を調整する調整機構を有し、
前記調整機構は、前記制動部材と前記複数の磁石との各対向面の平行を維持した状態で前記間隔が調整される
請求項１から請求項６の何れか一項に記載の魚釣用リール。
【考案の詳細な説明】
【技術分野】
【０００１】
本考案は、魚釣用リールに関する。
【背景技術】
【０００２】
たとえば特許文献１には、「両軸受リールの制動装置」が記載されており、ブレーキ機構について、「磁束中に電気的導体を配置し電気的導体を回転させることにより磁束を回転させて回転数に応じた渦電流を発生させ、フレミングの左手の法則により電気的導体に回転方向と逆方向の力を与えて回転速度に比例してスプールを制動する」旨の記載がある。
【０００３】
たとえば特許文献２には、「釣り用リールのブレーキシステム」が記載されており、「スプールカバーの内面に磁石ブレーキ装置が装着されている」、「当該磁気ブレーキ装置は汎用のものである」旨の記載がある。
【先行技術文献】
【特許文献】
【０００４】
【特許文献１】特開平９−２９８９９８号公報
【特許文献２】特開２０１１−６７２０４号公報
【考案の概要】
【考案が解決しようとする課題】
【０００５】
比較的重いシンカー（重り）の餌やルアー（疑似餌）をキャスティングする（投げる）場合、魚釣用リールに備えるスプールの制動機構としてメカニカルブレーキを用いるのが一般的であるが、軽いシンカーの場合には、メカニカルブレーキでは制動が効き過ぎ、適切な位置にキャスティングすることが難しくなる。そこで、軽いシンカーであってもラインスラッグ（たるみ）の発生を少なくすることができる、上記文献に記載したような磁石ブレーキ装置（磁界を利用したブレーキ機構）の採用が検討される。上記文献に記載のブレーキ機構（磁石ブレーキ装置）によれば、磁石を導電体近傍に配置し、磁力と導電体運動との相互作用により導電体内に発生する渦電流により制動力が得られることから、スプールの回転速度に比例した制動力が得られ、スムーズな制動が可能になる。この結果、軽いシンカーの餌やルアーであっても適切なキャスティングを行うことができるようになる。
【０００６】
しかし、上記文献に記載の従来技術においては、所定の制動力を発現するに必要な磁力を得るには、磁石を互いに近接して配置し、磁界強度を高める必要がある。また、ネジの配置部位を確保する設計上の都合から、磁石を近接して配置できない領域も存在する。すなわち、スプール回転軸を中心とする円環に沿って磁石を配置する場合、磁束密度を高めるために磁石を密に配置する領域が存在する一方、ネジ止め領域確保のために磁石を配置することができない領域が存在する。その結果、円環に沿った磁界の分布が不均一になり、当該不均一さを反映して、回転するスプールに与える制動力にムラを生じることになる。制動力のムラは、スプールの回転ムラに繋がり、スプールの回転軸がぶれる等の問題を生ずる可能性がある。
【０００７】
本考案の目的は、魚釣用リールにおけるスプールの回転をスムーズにすることにある。また、本考案の目的は、軽いシンカーの餌またはルアーであっても自然なキャスティングを実現し、初心者から上級者に至るまで使いやすい魚釣用リールを提供することにある。
【課題を解決するための手段】
【０００８】
上記課題を解決するために、本考案の第１の態様においては、釣り糸が巻き付けられるスプールと、前記スプールの回転軸の一端を支持し、前記スプールに回転駆動力を与えると共に空回りを可能にするスプール駆動・クラッチ機構と、前記スプールの前記回転軸の他端を支持し、前記スプールの回転を制動するスプール制動機構と、を有する魚釣用リールであって、前記スプール制動機構が、磁界を発生する磁石アセンブリと、前記磁石アセンブリに対向して位置する導電性の制動部材とを有し、前記磁界と前記制動部材の運動との相互作用によって前記スプールの回転を制動するものであり、前記制動部材が、前記スプールと共に回転および制動される導電性板体である第１の構成、または、前記スプールの少なくとも前記スプール制動機構の側に位置するフランジが導電性であり、当該導電性のフランジが前記制動部材として機能する第２の構成、の何れかの構成を有し、前記磁石アセンブリが、３以上の複数の磁石と、前記複数の磁石の其々が前記制動部材に対向するよう各磁石を支持する磁石支持体と、を有し、前記複数の磁石が、前記磁石支持体の磁石保持面において、均等な距離を隔てて配置されている魚釣用リールを提供する。
【０００９】
前記複数の磁石が、前記磁石保持面において、前記スプールの回転軸を中心とする単一または複数の円環に沿って配置されていてもよい。前記複数の磁石が、前記磁石保持面において、前記回転軸を中心とする点対称な位置に配置されていてもよい。前記複数の磁石が、前記制動部材に面する側がＮ極である第１磁石とＳ極である第２磁石とを有し、前記磁石保持面において、前記第１磁石と前記第２磁石とが互いに隣接するよう配置されていてもよい。
【００１０】
前記複数の磁石のうち１以上の磁石の残留磁束密度が、１．３２テスラを超えることが好ましい。前記複数の磁石に含まれる全ての磁石の残留磁束密度が、１．３６テスラ以上であることがより好ましい。
【００１１】
前記スプール制動機構が、前記制動部材と前記複数の磁石との間隔を調整する調整機構を有し、前記調整機構は、前記制動部材と前記複数の磁石との各対向面の平行を維持した状態で前記間隔が調整されてもよい。
【図面の簡単な説明】
【００１２】
【図１】魚釣用リール１００を示した斜視図である。
【図２】魚釣用リール１００を分解して示した分解斜視図である。
【図３】スプール制動機構１６０を示した平面図であり、（ａ）は図２におけるＡ矢視、（ｂ）は図２におけるＢ矢視である。
【図４】スプール制動機構１６０を分解して示した分解斜視図である。
【図５】スプール制動機構１６０の部分について断面を示した魚釣用リール１００の一部断面図である。
【図６】実施例１および比較例１の実験結果を示すグラフである。
【図７】実施例２および比較例２の実験結果を示すグラフである。
【図８】実施例３および比較例３の実験結果を示すグラフである。
【図９】磁石１７２の配置例を示す平面図である。
【考案を実施するための形態】
【００１３】
図１は、本実施の形態の魚釣用リール１００を示した斜視図であり、図２は、魚釣用リール１００を分解して示した分解斜視図である。図２において、部材の一部は省略している。
【００１４】
本実施の形態の魚釣用リール１００は、ベイトリールであり、主にルアーフィッシングに用いられる。本実施の形態の魚釣用リール１００は、本体フレーム１０２を有し、本体フレーム１０２の中央にスプール１１０が、本体フレーム１０２の右側面にスプール駆動・クラッチ機構１４０が、本体フレーム１０２の左側面にスプール制動機構１６０が配置されている。ここで、本体フレーム１０２の右側面および左側面は、図１における右奥方向が右側面、左手前方向が左側面である。
【００１５】
スプール１１０には、ライン（釣り糸）が巻き付けられ、回転軸１１２を軸としてスプール１１０が回転し、ラインがスプール１１０に巻き取られあるいは繰り出される。スプール１１０の回転軸１１２は、その一端１１２ａがスプール駆動・クラッチ機構１４０に支持され、他端１１２ｂがスプール制動機構１６０に支持される。
【００１６】
スプール駆動・クラッチ機構１４０は、スプール１１０に回転駆動力を与えると共に空回りを可能にする。これによりラインの巻き取りあるいは繰り出しが行われる。ラインの巻き取りは、クラッチＯＮの状態でハンドル１１４を回転して行う。クラッチＯＮのとき、ハンドル１１４の回転力はスプール１１０の回転軸１１２に伝達され、ハンドル１１４の回転に応じてスプール１１０が回転し、ラインが巻き取られる。
【００１７】
ラインの繰り出しは、クラッチＯＦＦの状態でキャスティングすることにより行う。クラッチＯＦＦの状態ではハンドル１１４と回転軸１１２との間の連結は解除されており、スプール１１０が自由に回転できる。この状態で釣竿を振り、キャスティングすると、疑似餌（ルアー）の飛翔に応じてラインが繰り出される。
【００１８】
クラッチのＯＮ／ＯＦＦ切り替えは、クラッチレバー１１６により行う。クラッチＯＦＦの状態でハンドル１１４を回転すると自動的にクラッチＯＮになり、クラッチＯＮの状態でクラッチレバー１１６を押下するとクラッチＯＦＦの状態になる。
【００１９】
なお、スプール駆動・クラッチ機構１４０にはドラグ機構を備えてもよい。ドラグ機構を備えることで、一定以上の力をハンドル１１４に加えた場合、スプール１１０とハンドル１１４との間に滑りが発生し、それ以上の回転が発生せず、ラインの切断を防止できる。ドラグ機構の作動レベルは、ドラグレバー１１８によって調整できる。
【００２０】
スプール制動機構１６０は、スプール１１０の回転を制動する。すなわち、クラッチＯＦＦの状態でスプール１１０が自由に回転し、キャスティングに応じてラインがスプール１１０から繰り出されるとき、スプール１１０が過剰に回転してラインが過剰に繰り出されれば、ラインスラッグ（ラインのたるみ）が発生し易くなる。これを防止するのがスプール制動機構１６０である。スプール制動機構１６０は、キャスティングの際にラインスラッグが発生しないよう、スプール１１０に適度な制動を加える。
【００２１】
図３は、スプール制動機構１６０を示した平面図であり、（ａ）は図２におけるＡ矢視、（ｂ）は図２におけるＢ矢視である。図４は、スプール制動機構１６０を分解して示した分解斜視図であり、図５は、スプール制動機構１６０の部分について断面を示した魚釣用リール１００の一部断面図である。
【００２２】
スプール制動機構１６０は、カバー１６２を有し、磁界を発生する磁石アセンブリ１７０と、磁石アセンブリ１７０に対向して位置する導電性の制動部材１８０と、磁石アセンブリ１７０のスプール１１０に対する位置を調整する調整機構１９０とを有する。スプール制動機構１６０は、磁石アセンブリ１７０による磁界と制動部材１８０の運動との相互作用によってスプール１１０の回転を制動する。
【００２３】
制動部材１８０はスプール１１０と共に回転および制動される導電性板体であり、本実施の形態の場合、図５の一部断面図に示すように、スプール１１０のフランジに固定された導電性板である。導電性板は、たとえばアルミニウム板とすることができる。なお、ここでは、制動部材１８０としてスプール１１０と共に回転する板体を例示しているが、スプール１１０自体が制動部材１８０として機能してもよい。この場合、スプール１１０の少なくともスプール制動機構１６０の側に位置するフランジは導電性である必要がある。
【００２４】
磁石アセンブリ１７０は、３以上の複数（ここでは６個）の磁石１７２と、複数の磁石１７２の其々が制動部材１８０に対向するよう各磁石１７２を支持する磁石支持体１７４と、を有する。また、磁石アセンブリ１７０は、スプールカバー１７６と、ベアリング１７７と、ワッシャ、ネジ、リテイナ等組立用部品を有する。スプールカバー１７６は、複数の磁石１７２および磁石支持体１７４を収納し、スプール１１０のフランジ部がはまり込む。ベアリング１７７は、スプール１１０の回転軸１１２のスプール制動機構１６０側の端（他端１１２ｂ）を回転可能に保持する。
【００２５】
そして、複数の磁石１７２は、図３および図４に示すように、磁石支持体１７４の磁石保持面において、均等な距離を隔てて配置されている。複数の磁石１７２が均等に配置されることで、複数の磁石１７２による制動部材１８０に対する磁界が均一になり、制動部材１８０が受ける制動力が回転に対し均等に働くようになる。その結果、スプール１１０の制動がスムーズに働き、スプール１１０の制動時における回転ムラや回転軸のブレが発生しない、または抑制される。この結果、軽いシンカーの餌またはルアーであっても自然なキャスティングが可能になり、初心者から上級者に至るまで使いやすい魚釣用リールを提供できる。
【００２６】
なお、本実施の形態では、複数の磁石１７２は、磁石支持体１７４の磁石保持面においてスプール１１０の回転軸１１２を中心とする円環に沿って配置されている。また、複数の磁石１７２は、磁石支持体１７４の磁石保持面において回転軸１１２を中心とする点対称な位置に配置されている。このような磁石１７２の配置とすることで、制動部材１８０に対する磁界を均一にすることができる。
【００２７】
また、複数の磁石１７２は、制動部材１８０に面する側がＮ極である第１磁石１７２ａと、Ｓ極である第２磁石１７２ｂとが、図３および図４に示すように、互いに隣接するよう配置されている。このような磁石１７２の配置とすることで、Ｎ極から出た磁束を効率的に制動部材１８０に通過させた後にＳ極に戻すことができ、制動部材１８０を通過する磁束の密度を大きくすることができる。その結果、十分な制動を得ることができる。
【００２８】
磁石１７２の残留磁束密度は、複数の磁石１７２のうち少なくとも１つは１．３２テスラを超えることが望ましい。これにより、最低限必要な制動力を得ることができる。より好ましくは、磁石１７２の残留磁束密度は、複数の磁石１７２に含まれる全ての磁石１７２において１．３６テスラ以上であることが望まれる。このような条件を満足することで、十分な制動力を得て、本願考案の効果をより顕著に奏することができる。
【００２９】
調整機構１９０は、カバー１６２に配置される制御ダイヤル１９２、第１スライダ１９４および第２スライダ１９６およびバネ１９８を有する。制御ダイヤル１９２の回転により第１スライダ１９４を回転し、第２スライダ１９６をスプール１１０の方向に押し出してこれに連動する磁石支持体１７４および磁石１７２をスプール１１０の方向にスライドさせる。バネ１９８は、制御ダイヤル１９２を戻した場合の復元力を付与する。このように、本実施の形態の調整機構１９０では、第１スライダ１９４と第２スライダ１９６とを組み合わせ、磁石支持体１７４がスプール１１０の方向にスライドするように動作するので、制動部材１８０と複数の磁石１７２との各対向面の平行を維持した状態で間隔が調整される。よって、制動部材１８０と複数の磁石１７２との間隔が変更（調整）されても磁界均一性は維持され、スプール１１０のスムーズな回転に悪影響を及ぼすことはない。
【００３０】
以上説明した通り、本実施の形態の魚釣用リール１００によれば、磁石１７２を均等に配置しているため、制動部材１８０に対する磁界の均一性を高くすることができ、スプール１１０の回転をスムーズにすることができる。この結果、軽いシンカーの餌またはルアーであっても自然なキャスティングを実現し、初心者から上級者に至るまで使いやすい魚釣用リールを提供することができる。
【００３１】
（実施例）
本考案の魚釣用リールの効果を確かめる目的で、上級者、中級者および初心者によるキャスティング実験を実施し、疑似餌の飛距離を計測した。キャスティング実験におけるタックルの条件は３通りとした。第１条件では、８ポンドフロロカーボンラインおよび６．６ｆｔライトクラスロッドを用い、１．８ｇネコリグワームをキャスティングした。第２条件では、１０ポンドフロロカーボンラインおよび７ｆｔミディアムヘビーロッドを用い、７ｇキャスティングシンカーをキャスティングした。第３条件では、１０ポンドフロロカーボンラインおよび７ｆｔミディアムヘビーロッドを用い、１８ｇキャスティングシンカーをキャスティングした。
【００３２】
表１に、キャスティング実験の結果を示す。
【表１】
0003230815.tif 000003
【００３３】
実験例は本考案の魚釣用リールを用いた場合であり、比較例は、従来の魚釣用リール（磁石が均等配置でなく円環の半分〜３分の１程度の領域に集中して配置されたもの）を用いた場合である。実験例１および比較例１は初心者によるキャスティング、実験例２および比較例２は中級者によるキャスティング、実験例３および比較例３は上級者によるキャスティングである。図６〜８は、表１の結果をグラフ化したものであり、図６は、実施例１および比較例１の実験結果を示すグラフであり、図７は、実施例２および比較例２の実験結果を示すグラフであり、図８は、実施例３および比較例３の実験結果を示すグラフである。
【００３４】
表１および図６〜８を参照して解る通り、疑似餌が重くなるほど遠くまでキャスティングできており、同じ重さの疑似餌では初級者より中級者の方が遠くにキャスティングされ、中級者より上級者の方が遠くにキャスティングできている。そして、初級者、中級者、上級者の何れの被験者も、従来の魚釣用リールを用いた比較例より、本願考案の魚釣用リールを用いた実験例において遠くまでキャスティングできている。これは、本願考案の魚釣用リールであれば、従来の魚釣用リールよりも遠くにキャスティングできる事実を示しており、本願考案の魚釣用リールの安定性を示す実験結果と言える。また、より遠くにキャスティング可能な本願考案の魚釣用リールは、従来の魚釣用リールよりも、狙った場所に余裕をもってキャスティングことを意味し、より自然な、使いやすい魚釣用リールが提供できたと言える。
【００３５】
なお、上記した実施の形態では、単一の円環に沿って複数の磁石１７２が配置された例を説明したが、複数の磁石１７２の配置については各種変更が可能である。たとえば、図９に示すような変更が可能である。図９は、磁石１７２の配置例を示す平面図である。図９（ａ）に示すように、６個以上（図では８個）の磁石１７２を円環に沿って配置することができる。また、図９（ｂ）に示すように、２つの円環に沿って磁石１７２を配置することができる。また、図９（ｃ）〜（ｆ）に示すように、３つの円環に沿って磁石１７２を配置することができる。また、図９（ｃ）に示すように、Ｎ極およびＳ極の磁石が同一円環内で隣接するように配置することができ、図９（ｄ）に示すように、Ｎ極およびＳ極の磁石が異なる円環内で隣接するように配置することができる。また、図９（ｅ）に示すように、Ｎ極およびＳ極の磁石が同一円環内および異なる円環内で隣接するように配置することができる。さらに、図９（ｆ）に示すように、Ｎ極磁石とＳ極磁石の数が異なるものであってもよい。
【００３６】
以上、本考案を実施の形態を用いて説明したが、本考案の技術的範囲は上記実施の形態に記載の範囲には限定されない。上記実施の形態に、多様な変更または改良を加えることが可能であることが当業者に明らかである。その様な変更または改良を加えた形態も本考案の技術的範囲に含まれ得ることが、特許請求の範囲の記載から明らかである。
【符号の説明】
【００３７】
１００…魚釣用リール、１０２…本体フレーム、１１０…スプール、１１２…回転軸、１１２ａ…回転軸の一端、１１２ｂ…回転軸の他端、１１４…ハンドル、１１６…クラッチレバー、１１８…ドラグレバー、１４０…スプール駆動・クラッチ機構、１６０…スプール制動機構、１６２…カバー、１７０…磁石アセンブリ、１７２…磁石、１７２ａ…第１磁石、１７２ｂ…第２磁石、１７４…磁石支持体、１７６…スプールカバー、１７７…ベアリング、１８０…制動部材、１９０…調整機構、１９２…制御ダイヤル、１９４…第１スライダ、１９６…第２スライダ、１９８…バネ。
【図１】
0003230815.tif 000004
【図２】
0003230815.tif 000005
【図３】
0003230815.tif 000006
【図４】
0003230815.tif 000007
【図５】
0003230815.tif 000008
【図６】
0003230815.tif 000009
【図７】
0003230815.tif 000010
【図８】
0003230815.tif 000011
【図９】
0003230815.tif 000012